(57)【要約】【課題】液晶表示装置の特性から、電源起動時からの時間によって画面に出力される色度がずれることを課題とする。【解決手段】映像信号の各色信号成分が入力される第１の制御回路と、各色信号成分が入力され各色信号成分値に各々係数が掛けられてその和を出力するマトリクス回路と、マトリクス回路の出力により駆動される液晶駆動回路と、液晶駆動回路により駆動される液晶パネルとを具備し、電源起動時からの時間を計測するカウンターと、第１の制御回路に電源起動がなされたことをカウンターに出力し前記マトリクス回路の各色信号成分処理の成分比をカウンターがカウントした値に応じて変化させる第２の制御回路を有し、起動時の色度の補正値を計算し、計算結果によってマトリクス回路４の成分比を変化させるような構成とした。【選択図】図１
2007108285.tif 000002
【特許請求の範囲】
【請求項１】
液晶表示装置において、前記液晶表示装置が起動してからの時間を計測するカウンターと、前記カウンタ出力を用いて色信号の成分比を補正するマトリクス回路とを少なくとも備え、起動時の色再現をおこなうことを特徴とする液晶表示装置。
【請求項２】
映像信号の各色信号成分が入力される第１の制御回路と、前記各色信号成分が入力され前記各色信号成分値に各々係数が掛けられてその和を出力するマトリクス回路と、前記マトリクス回路の出力により駆動される液晶駆動回路と、前記液晶駆動回路により駆動される液晶パネルとを具備し、電源起動時からの時間を計測するカウンターと、前記第１の制御回路に電源起動がなされたことを前記カウンターに出力し前記マトリクス回路の各色信号成分処理の成分比を前記カウンターがカウントした値に応じて変化させる第２の制御回路を持つことを特徴とした液晶表示装置。
【発明の詳細な説明】
【技術分野】
【０００１】
本発明は、ＰＣ、ワープロなどのＯＡ機器やテレビなどのディスプレイとして用いられる液晶表示装置に関するものである。
【背景技術】
【０００２】
マトリクス回路による各色信号成分処理を、制御回路により入力変動に応じてその成分比を変えることにより、液晶デバイスに固有な旋光分散を補償し、液晶の駆動電圧レベルが変化しても色度点を一定になるようにしていた。
【特許文献１】特開平５−２７７１１号公報
【発明の開示】
【発明が解決しようとする課題】
【０００３】
液晶表示装置の特性から、電源起動時からの時間によって画面に出力される色度がずれるという課題があった。
【０００４】
本発明は前記課題に鑑み、液晶表示装置が起動してからの時間によって生じる色度ずれを起動からの時間を記憶するカウンター値を元に前記マトリクス回路による各色信号成分処理の成分比を補正することによって正確な色再現をおこなうことを特徴としたものである。
【課題を解決するための手段】
【０００５】
前記課題を解決するために、本発明の液晶表示装置は、電源が起動された時間をカウンターによって計測し、そのカウンター値によって各色信号成分処理の成分比を変更することで正確な色再現をおこなうことを特徴としたものである。
【発明の効果】
【０００６】
以上説明したように、液晶表示装置が起動してからの時間によって生じる色度ずれを起動からの時間を記憶するカウンター値を元に前記マトリクス回路による各色信号成分処理の成分比を補正することによって正確な色再現をおこなう液晶表示装置を提供することが可能になる。
【発明を実施するための最良の形態】
【０００７】
本発明の請求項１に記載の液晶表示装置は、
液晶表示装置が起動してからの時間を計測するカウンターと、カウンタ出力を用いて色信号の成分比を補正するマトリクス回路とを少なくとも備え、起動時の色再現をおこなうものである。
【０００８】
請求項２に記載の発明は、映像信号の各色信号成分が入力される第１の制御回路と、各色信号成分が入力され各色信号成分値に各々係数が掛けられてその和を出力するマトリクス回路と、マトリクス回路の出力により駆動される液晶駆動回路と、液晶駆動回路により駆動される液晶パネルとを具備し、電源起動時からの時間を計測するカウンターと、第１の制御回路に電源起動がなされたことをカウンターに出力しマトリクス回路の各色信号成分処理の成分比をカウンターがカウントした値に応じて変化させる第２の制御回路を持つものである。
【０００９】
以下、本発明の一実施の形態について、図１を用いて説明する。
【００１０】
図１において、１、２、３は入力端子、４はマトリクス回路、５は第２の制御回路
６、７、８はそれぞれ入力端子１、２、３に対応する出力端子  ９は信号電極駆動回路、１０は走査電極駆動回路、１１は液晶パネル、１２がカウンターである。
【００１１】
（実施の形態１）
図１において、入力端子１、２、３にはそれぞれ映像信号の各色信号成分であるＲ、Ｇ、Ｂ信号が入力される。第２の制御回路５では、入力されたＲ、Ｇ、Ｂ信号から輝度信号レベル値を求める。輝度信号レベル値をＹ、入力のＲ、Ｇ、Ｂ信号のレベル値をそれぞれＲＩＮ，ＧＩＮ，ＢＩＮとすると、このＹの値にもとづいて制御回路５からマトリクス回路４に制御信号が与えられる。マトリクス回路４では制御信号によりＲ、Ｇ、Ｂ信号を次式のように変換する。
【００１２】
ＲＯＵＴ１  ＝  ａ１１・ＲＩＮ＋ａ１２・ＧＩＮ＋ａ１３・ＢＩＮ
ＧＯＵＴ１  ＝  ａ２１・ＲＩＮ＋ａ２２・ＧＩＮ＋ａ２３・ＢＩＮ
ＢＯＵＴ１  ＝  ａ３１・ＲＩＮ＋ａ３２・ＧＩＮ＋ａ３３・ＢＩＮ
ここで、係数ａ１１、ａ１２、…、ａ３３は制御信号により値が変化する。また、液晶表示装置の電源が起動することにより、第２の制御回路５がカウンター１２に電源が起動されたことを出力し、前記カウンター１２は第２の制御回路５の出力からカウントをはじめ、その値を前記第２の制御回路５に出力する。その出力された値より時間変化における各色度変化の補正係数を求める。（ここでカウント値をｃｏｕｎｔとする。）
ｃｏｕｎｔＲ＝ｆｒ（ｃｏｕｎｔ）
ｃｏｕｎｔＧ＝ｆｇ（ｃｏｕｎｔ）
ｃｏｕｎｔＢ＝ｆｂ（ｃｏｕｎｔ）
この補正係数と液晶パネル１１の旋光分散を補償するように設定されたＲＯＵＴ１、ＧＯＵＴ１、ＢＯＵＴ１を掛ける。
【００１３】
ＲＯＵＴ  ＝  ｃｏｕｎｔＲ・ＲＯＵＴ１
ＧＯＵＴ  ＝  ｃｏｕｎｔＧ・ＧＯＵＴ１
ＢＯＵＴ  ＝  ｃｏｕｎｔＢ・ＢＯＵＴ１
このようにして出力６、７、８にそれぞれ得られたＲＯＵＴ、ＧＯＵＴ、ＢＯＵＴは信号電極駆動回路９に入力される。言い換えると、入力の輝度レベルと電源起動時からの時間に応じてＲ、Ｇ、Ｂ信号にはそれぞれ他の信号成分が加わり、表示される画面の色度点が移動する。従って、上記マトリクス成分である係数ａ１１、ａ１２、…、ａ３３を液晶パネル１１の波長―透過率特性を補正するように設定すれば旋光分散と電源起動時からの色度ずれを補償することができる。
【産業上の利用可能性】
【００１４】
本発明にかかる液晶表示装置は、液晶表示装置が起動してからの時間によって生じる色度ずれを起動からの時間を記憶するカウンター値を元に前記マトリクス回路による各色信号成分処理の成分比を補正することによって正確な色再現をおこなう液晶表示装置を提供することが可能になるものであり、ＰＣ、ワープロなどのＯＡ機器やテレビなどのディスプレイとして用いられる液晶表示装置等において有用である。
【図面の簡単な説明】
【００１５】
【図１】本発明の実施の形態１における液晶表示装置の全体構成図
【図２】従来の液晶表示装置の全体構成図
【符号の説明】
【００１６】
１、２、３    入力端子
４    マトリクス回路
５    第２の制御回路
６、７，８    出力端子
９    信号電極駆動回路
１０    走査電極駆動回路
１１    液晶パネル
１２    カウンター
１３    第１の制御回路
【図１】
2007108285.tif 000003
【図２】
2007108285.tif 000004